(57)【特許請求の範囲】
【請求項１】
複数の柱材間の下部を連結する下部連結部材と前記複数の柱材間の上部を連結する上部連結部材からなるフレームを支持する支持装置であって、
柱と、
この柱の下部に基端部が設けられ、先端部に下部支持部材が設けられた下アーム材を有する下冶具と、
前記柱に対して上下に回動可能となるように基端部が前記柱の上部に設けられた上アーム材と、前記上アーム材の先端部に設けられた上部支持部材を有する上冶具と
を備え、
前記下部支持部材は前記フレームの下部を支持し、前記上部支持部材は前記上アーム材が上方に回動して前記フレームの上部を支持する
ことを特徴とする支持装置。
【請求項２】
請求項１に記載の支持装置において、
前記下アーム材は前記柱に対して上下に回動可能に設けられていることを特徴とする支持装置。
【請求項３】
請求項１または２に記載の支持装置において、
前記上部支持部材は上アーム材と交差する方向にスライド可能に前記上アーム材の先端部に設けられることを特徴とする支持装置。
【請求項４】
請求項１〜３のいずれか一項に記載の支持装置において、
前記下部支持部材は上部に孔を有し、前記複数の柱材の各々は孔を有するエンドプレートが下部に設けられ、
前記複数の柱材の下部を前記上部で支持した際に、前記上部の孔がエンドプレートの孔と重なるように設けられていることを特徴とする支持装置。
【請求項５】
請求項１に記載の支持装置を使用して住宅用外部柱を製造する製造方法であって、
住宅用外部柱は、複数の柱材間の下部を連結する下部連結部材と前記複数の柱材間の上部を連結する上部連結部材からなるフレームを備え、
前記下部支持部材が前記フレームの下部を支持する工程と、
前記上アーム材が上方に回動して前記上部支持部材が前記フレームの上部を支持する工程と、
前記下冶具および前記上冶具により前記フレームが支持された状態で、外壁材を前記フレームに取り付ける工程と
を備えることを特徴とする住宅用外部柱の製造方法。
【発明の詳細な説明】
【技術分野】
【０００１】
本発明は、支持装置および住宅用外部柱の製造方法に関する。
【背景技術】
【０００２】
従来より、バルコニーを片持ち状態で支持されるものに比してより大きなバルコニーにするために、ピロティユニットを建物本体に接合されるピロティ用フレームと、このピロティ用フレームから下方に延びた柱体とで構成されるピロティバルコニーを軒の下に設けることが提案されている（例えば、特許文献１参照）。
【０００３】
ところで、このようなオープンタイプのバルコニーは、その上方が比較的開放されていて充分な採光が確保できるようになされている。
【先行技術文献】
【特許文献】
【０００４】
【特許文献１】特開平１０−２５２１３９号公報
【発明の概要】
【発明が解決しようとする課題】
【０００５】
しかし、上記従来のオープンタイプのバルコニーを住宅に用いた場合、解放感が高くなりすぎることがある。例えば、日光が十分に当たるバルコニーのような場合、外からの視線が気になったり、特に夏場に暑くて過ごしにくい場合があったりする。そのため、解放感がある一方で、快適な屋外空間を実現するために深い軒出をバルコニー上に設けることが望まれる。深い軒出を設けるためには、バルコニーの先端より前方に延設された軒先を有する屋根を設け、更にこの屋根を支えるための丈夫な外部柱が必要とされる。本出願人は、丈夫な柱として、複数の柱材を連結部材で連結して丈夫にした柱体を提供することを提案した（特許文献１の図３参照）。ところで、バルコニーに加えて屋根を外部柱で支えるためには、連結部材を従来より長尺にして水平方向の強度も向上することが望まれる。そうすると、柱間が広くなることにより柱間に取り付ける外壁材自体も大きく重くなり、外壁材の取り扱いに手間がかかることになり、外壁材をフレームに取り付ける際、量産化等に影響を与える可能性がある。そこで、外壁材を取り付けた外部柱の製造効率を向上することが望まれる。
【０００６】
本発明は、係る実情に鑑みてなされたものであって、外壁材を取り付けた外部柱の製造効率を向上するために使用される支持装置および住宅用外部柱の製造方法を提供することを目的としている。
【課題を解決するための手段】
【０００７】
上記課題の少なくとも一つを解決するために、請求項１に記載の支持装置１００に関する発明は、例えば、図１、図４および図５に示すように、
複数の柱材２０１Ａ，２０３Ａ間の下部を連結する下部連結部材２０５Ａと前記複数の柱材２０１Ａ，２０３Ａ間の上部を連結する上部連結部材２０７Ａからなるフレーム２００Ａを支持する支持装置１００であって、
柱１０と、
この柱１０の下部に基端部が設けられ、先端部に下部支持部材３３が設けられた下アーム材３１を有する下冶具３０と、
前記柱１０に対して上下に回動可能となるように基端部が前記柱１０の上部に設けられた上アーム材５１と、前記上アーム材５１の先端部に設けられた上部支持部材５３を有する上冶具５０と
を備え、
前記下部支持部材３３は前記フレーム２００Ａの下部を支持し、前記上部支持部材５３は前記上アーム材５１が上方に回動して前記フレーム２００Ａの上部を支持する
ことを特徴とする。
【０００８】
請求項１に記載の発明によれば、前記下冶具３０の下部支持部材３３と前記上冶具５０の上部支持部材５３とにより、フレーム２００Ａの下部および上部を支持することにより、フレーム２００Ａを立てた状態で支持可能となる。また、フレーム２００Ａを支持装置に設置する際に、上アーム５１が上下に回動することによりフレーム２００Ａの上部の部材との干渉を避けることができる。このように、フレーム２００Ａを立てた状態で支持可能となるため、重い外壁材をクレーン等で吊り上げてフレーム２００Ａを囲むように取り付けることが可能になり、製造効率を向上させることができる。
【０００９】
請求項２に記載の発明は、例えば、図１に示すように、
請求項１に記載の支持装置１００において、
前記下アーム材３１は前記柱１０に対して上下に回動可能に設けられていることを特徴とする。
【００１０】
請求項２に記載の支持装置１００によれば、下アーム材３１は前記柱１０に対して回動可能に前記柱１０に設けられているため、例えば、下アーム材３１を上方に回動することにより、下冶具３０を収納可能なため、支持装置１００の収納性を向上することができる。
【００１１】
請求項３に記載の発明は、例えば、図３、図６に示すように、
請求項１または２に記載の支持装置１００において、
前記上部支持部材５３は上アーム材５１と交差する方向にスライド可能に前記上アーム材５１の先端部に設けられることを特徴とする。
【００１２】
請求項３に記載の発明によれば、前記上部支持部材５３を上アーム材５１と交差する方向にスライド可能にすることにより、建物正面から見て、左側の外部柱と右側の外部柱とにおいて、下部支持部材３３に対する前記複数の柱材の位置が異なっても、両方の外部柱のフレームを支持可能となる。
【００１３】
請求項４に記載の発明は、例えば、図１、図２、図５に示すように、
請求項１〜３のいずれか一項に記載の支持装置１００において、
前記下部支持部材３３は上部に孔３３ａを有し、前記複数の柱材２０１Ａ，２０３Ａの各々は孔２０１ｃを有するエンドプレート２０１ａが下部に設けられ、
前記複数の柱材２０１Ａ，２０３Ａの下部を前記上部で支持した際に、前記上部の孔３３ａがエンドプレートの孔２０１ｃと重なるように設けられていることを特徴とする。
【００１４】
請求項４に記載の発明によれば、前記複数の柱材２０１Ａ，２０３Ａの下部を前記上部で支持した際に、前記上部の孔３３ａがエンドプレートの孔２０１ｃと重なるように設けられていることにより、例えば、ピンを孔へ挿入することまたはボルト結合が可能になるため、フレーム２００Ａの下部をしっかりと支持することが可能になる。
【００１５】
請求項５に記載の発明は、例えば、図１、図４および図５に示すように、
請求項１に記載の支持装置１００を使用して住宅用外部柱２１０Ａを製造する製造方法であって、
住宅用外部柱２１０Ａは、複数の柱材２０１Ａ，２０３Ａ間の下部を連結する下部連結部材２０５Ａと前記複数の柱材２０１Ａ，２０３Ａ間の上部を連結する上部連結部材２０７Ａからなるフレーム２００Ａを備え、
前記下部支持部材３３が前記フレーム２００Ａの下部を支持する工程と、
前記上アーム材５１が上方に回動して前記上部支持部材５３が前記フレーム２００Ａの上部を支持する工程と、
前記下冶具３０および前記上冶具５０により前記フレーム２００Ａが支持された状態で、外壁材を前記フレーム２００Ａに取り付ける工程と
を備えることを特徴とする。
【００１６】
請求項５に記載の発明によれば、前記下冶具３０および前記上冶具５０により、フレーム２００Ａの下部および上部を支持することにより、フレーム２００Ａを立てた状態で支持可能となる。そのため、重い外壁材をクレーンで吊り上げてフレーム２００Ａを囲むように取り付けることが可能になり、製造効率を向上させることができる。
【発明の効果】
【００１７】
本発明によれば、フレーム下部および上部を支持することにより、フレームを立てた状態で支持可能となるため、外壁材をクレーンで吊り上げてフレームを囲むように取り付けることが可能になり、製造効率を向上させることができる支持装置を提供することができる。
【図面の簡単な説明】
【００１８】
【図１】本実施の形態における支持装置の一例を示す側面図である。
【図２】（ａ）は支持装置の下冶具の平面図を示し、（ｂ）は側面図を示す図である。
【図３】（ａ），（ｂ）は支持装置のスライド可能な上部支持部を有する上冶具の平面図を示し、（ｃ），（ｄ）はそれぞれ上アーム材の平面図および側面図を示し、（ｅ），（ｆ），（ｇ）はそれぞれ上部支持部材の平面図、側面図、正面図を示す図である。
【図４】（ａ），（ｂ）は支持装置に支持されるフレームの一例を示し、（ａ）は１階用フレームを示し，（ｂ）は２階用フレームを示す図である。
【図５】支持装置にフレームが支持された状態を示す概略図である。
【図６】（ａ），（ｂ），（ｃ）はそれぞれ建物正面から見て１階の左側に取り付けられるべき外部柱の図５におけるＩ−Ｉ断面図、ＩＩ−ＩＩ断面図、ＩＩＩ−ＩＩＩ断面図を示す図であり、（ｄ），（ｅ），（ｆ）はそれぞれ建物正面から見て１階の右側に取り付けられるべき外部柱の図５におけるＩ−Ｉ断面図、ＩＩ−ＩＩ断面図、ＩＩＩ−ＩＩＩ断面図を示す図である。
【図７】（ａ），（ｂ），（ｃ）はそれぞれ建物正面から見て２階の左側に取り付けられるべき外部柱の図５における外部柱のＩ−Ｉ断面図、ＩＩ−ＩＩ断面図、ＩＩＩ−ＩＩＩ断面図を示す図であり、（ｄ），（ｅ），（ｆ）はそれぞれ建物正面から見て２階の右側に取り付けられるべき外部柱の図５におけるＩ−Ｉ断面図、ＩＩ−ＩＩ断面図、ＩＩＩ−ＩＩＩ断面図を示す図である。
【図８】（ａ）〜（ｂ）は、２階用フレームに外壁材を取り付ける際に使用される補助冶具であり、それぞれ平面図、側面図、背面図、底面図を示す図である。
【図９】柱材と、下部連結部材と、外壁材との接合部分の分解斜視図である。
【図１０】柱材と、上部連結部材と、外壁材との接合部分の分解斜視図である。
【図１１】１階用外部柱と２階用外部柱をバルコニー床を介して住宅に設置する施工手順を説明するための分解斜視図である。
【図１２】１階の住宅ユニットと１階用外部柱とを連結する冶具を示す図である。
【図１３】（ａ）は１階の住宅ユニットと１階用外部柱とを冶具で連結した状態を示す図であり、（ｂ）はＩＶ−ＩＶ断面図である。
【図１４】１階用外部柱と２階用外部柱をバルコニー床を介して設置した状態を示す図である。
【発明を実施するための形態】
【００１９】
以下、図面を参照して本発明の実施の形態について説明する。
【００２０】
＜実施の形態＞
（支持装置１００）
図１〜図５を参照して、本実施の形態における支持装置１００について、説明する。
【００２１】
図１に示す支持装置１００は、柱１０と、この柱１０の下部に基端部が設けられ、先端部に下部支持部材３３が設けられた下アーム材３１を有する下冶具３０と、前記柱１０に対して回動可能となるように基端部が前記柱１０の上部に設けられた上アーム材５１と、前記上アーム材５１の先端部に設けられた上部支持部材５３を有する上冶具５０とを備えている。そして、支持装置１００は、図４（ａ）に示すような複数の柱材２０１Ａ，２０３Ａ間の下部を連結する下部連結部材２０５Ａと前記複数の柱材２０１Ａ，２０３Ａ間の上部を連結する上部連結部材２０７Ａからなる１階用フレーム２００Ａ、または、図４（ｂ）に示すような複数の柱材２０１Ｂ，２０３Ｂ間の下部を連結する下部連結部材２０５Ｂと前記複数の柱材２０１Ｂ，２０３Ｂ間の上部を連結する上部連結部材２０７Ｂからなる２階用フレーム２００Ｂを支持する。始めに、１階用フレーム２００Ａを支持する例について説明する。
【００２２】
ここで、下冶具３０および上冶具５０は、回転軸１３を介して、柱１０に回動可能に設けられているため、下冶具３０および上冶具５０が柱１０側に回動することにより、支持装置１００の収納性を向上することができる。柱１０としては、例えば、工場内の既存柱を利用することができる。既存柱を使用すると新たに柱を設ける必要がなくなるため、経済性に優れる。さらに、既存柱がＨ鋼の柱である場合、図５に示すように、Ｈ鋼の内側に下冶具３０の下アーム材３１および上冶具５０の上アーム材５１を取り付けると、下アーム材３１および上アーム材５１が柱１０内に収納されて収納性が更に向上する。
【００２３】
下冶具３０は、下アーム材３１が下に回動して床面に接地した際に、下冶具３０の上部、特に、柱材２０１Ａ，２０３Ａの下部に設けられたエンドプレート２０１ａと接する面が水平になるようにする。また、上冶具５０は、柱１０との摩擦力により任意の位置に止めることが可能である。なお、上アーム材５１を支える棒等を使用して任意の位置に止めるようにしてもよい。
【００２４】
図２に示すように、下冶具３０は、前記下アーム材３１と、前記下アーム材３１の先端部に接合され、前記下アーム材３１と交差する方向に設けられた前記下部支持部材３３とで構成される。前記下部支持部材３３の両端部には、柱材２０１Ａ，２０３Ａの下部に設けられたエンドプレート２０１ａとピン、ボルト等で仮接合するために使用される複数の孔３３ａが設けられている。なお、ボルト接合可能なようにナット３３ｂが孔３３ａの下に設けられている。
【００２５】
図３に示すように、上冶具５０は、前記上アーム材５１と前記上部支持部材５３とで構成される。前記上アーム材５１には、前記上部支持部材５３の凸部５３ｂが挿入される孔５１ａが短手方向に長さを有して設けられている。そして、前記上部支持部材５３の凸部５３ｂが孔５１ａに挿入された状態で、前記上部支持部材５３は、前記上アーム材５１の短手方向にスライド可能に設けられている。前記上部支持部材５３は、前記上アーム材５１が上方に回動して前記フレーム２００Ａの上部連結部材２０７Ａの凹部に入り込み、前記フレーム２００Ａの上部を支持する。なお、この状態で、柱材２０１Ａ，２０３Ａにおいて、前記上部支持部材５３に設けられた孔５３ａに対応する位置に、孔を柱材２０１Ａ，２０３Ａにそれぞれ設けて、ピン等で仮接合するように構成してもよい。
【００２６】
図５に示すように、支持装置１００がフレーム２００Ａを支持する場合、前記下部支持部材３３は前記フレーム２００Ａの下部を支持し、前記上部支持部材５３は前記上アーム材５１が上方に回動して前記フレーム２００Ａを支持する。図５に示す例では、前記上アーム材５１を予め下方に回動しておき、前記下部支持部材３３の下部が床に接した状態で、前記フレーム２００Ａの下部に設けられたエンドプレート２０１ａの孔２０１ｃと前記下部支持部材３３の上部に設けた互いの孔３３ａとが重なるように、フレーム２００Ａを前記下部支持部材３３上に配置し、フレーム２００Ａの下部をピン等で仮結合する。
【００２７】
上述のように、本実施の形態によれば、前記下冶具３０の下部支持部材３３と前記上冶具の上部支持部材５３とにより、フレーム２００Ａの下部および上部を支持することにより、フレーム２００Ａを立てた状態で支持可能となる。そのため、重い外壁材をクレーン等で持ち上げてフレーム２００Ａを囲むように取り付けることが可能になり、製造効率を向上させることができる。下アーム材３１および上アーム材５１は前記柱１０に対して回動可能に前記柱１０に設けられているため、例えば、下アーム材３１を上方に回動し、上アーム材５１を下方に回動することにより、下冶具３０および上冶具５０を収納可能なため、支持装置１００の収納性を向上することができる。
【００２８】
次に、図６（ａ）〜図６（ｆ）を参照して、前記上部支持部材５３が上アーム材５１と交差する方向にスライド可能に前記上アーム材５１の先端部に設けられていることについて説明する。
図６（ａ）は建物正面から見て１階の左側に取り付けられる外部柱２１０Ａを示し、図６（ｄ）は建物正面から見て１階の右側に取り付けられる外部柱２１０Ａを示している。ここで、外部柱２１０Ａとは、フレーム２００Ａに外壁材７０ａ〜７０ｃが取り付けられた柱である。２枚のエンドプレートの配置を基準とすると、左側用外部柱と右側用外部柱において、柱材２０１Ａ，２０３Ａが、図６（ｂ）〜図６（ｆ）に示すように、上下にずれるように配置される。ここで、フレーム２００Ａを下部支持部材３３上に配置する場合、柱材２０１Ａ，２０３Ａの下部に設けられたエンドプレート２０１ａと下部支持部材３３との配置は変わらない。そのため、左側用外部柱と右側用外部柱における柱材２０１Ａ，２０３Ａの配置の変更に合わせるため、上部支持部材５３を上アーム材５１と交差する方向にスライド可能に構成している。なお、外壁材７０ａ〜ｃを取り付けた後に、外壁材７０ｃがあることにより、上部支持部材５３と上アーム材５１が一体となった状態では上部支持部材５３が外壁材７０ｃと干渉するため上アーム材５１を下方に回動できない場合がある。この際には、上アーム材５１を上部支持部材５３と切り離して下方に回動し、その後、上アーム材５１の一端を下方に下げ、斜めにすることにより、フレーム２００Ａから取り外しが可能となる。
【００２９】
本実施の形態によれば、上部支持部材５３を上アーム材５１と交差する方向にスライド可能にすることにより、建物正面から見て、左側の外部柱と右側の外部柱とにおいて、下部支持部材に対する前記複数の柱材の位置が異なっても、左側用外部柱と右側用外部柱用のフレームを支持可能となる。
【００３０】
（２階外部柱用補助冶具）
次に、２階用フレーム２００Ｂを支持する例について説明する。２階用フレーム２００Ｂに外壁材７１ａ〜７１ｃを取り付ける際に、補助冶具４０を使用して、２階用フレーム２００Ｂを支持する。図７、図８、図１１、図１４を参照して、上述の支持装置１００に取り付けられ、２階用フレーム２００Ｂに外壁材７１ａ〜７１ｃを取り付けて２階用外部柱２１０Ｂを製造する際に使用される補助冶具４０について説明する。補助冶具４０は、２階用フレーム２００Ｂの下部に設けられたエンドプレート２０１ａと下部支持部材３３間に配置される。２階用フレーム２００Ｂにおいて、１階用フレーム２００Ａと異なる点は、図１４に示すように、２階フレームの柱材２０１Ｂ，２０３Ｂの長さ（エンドプレート２０１ａ間）が１階フレームの柱材２０１Ａ，２０３Ａより短いことである。なお、図７（ｂ）、図７（ｅ）は、前記上部支持部材５３が上アーム材５１と交差する方向にスライド可能に前記上アーム材５１の先端部に設けられていることを示す図であるが、図６に示す構成と作用効果が同じであるため説明を省略する。
【００３１】
ここで、図１１、図１４に示されるように、バルコニー床２３０を介して設置された際に、１階用外部柱２１０Ａに設けられた外壁材７０ｃと近づくように、２階用外部柱２１０Ｂの外壁材７１ｃは、柱材２０１Ｂの下部に設けられたエンドプレート２０１ａの下方に延設されて柱材２０１Ｂに取り付けられている。外壁材７１ｃを取り付ける高さを確保するため、補助冶具４０が必要とされる。図８に示すように、補助冶具４０は、柱材２０１Ｃの両端にエンドプレート２０１ａが設けられ、柱材２０１Ｃの中央部付近に外壁材を一時的に支える補助部材４０ｃが設けられている。柱材２０１Ｃの上部のエンドプレート２０１ａには、柱材２０１Ｂのエンドプレート２０１ａとボルト接合するための孔４０ａとナット３３ｂが設けられている。柱材２０１Ｃの下部のエンドプレート２０１ａには、下部支持部材３３に設けられた孔３３ａと重なるように孔４０ｂが設けられている。
【００３２】
このように、前記複数の柱材２０１Ｂ，２０３Ｂの下部を前記下部支持部材３３の上部で支持した際に、前記上部の孔３３ａがエンドプレートの孔４０ｂと重なるように設けられていることにより、例えば、ピンを孔へ挿入することまたはボルト結合が可能になるため、フレームの下部を補助冶具４０を介して２階用フレーム２００Ｂをしっかりと支持することが可能になる。
【００３３】
（フレーム構造と外壁材の取り付け）
図９において、１階用フレーム２００Ａの下部について説明する。２階用フレーム２００Ｂの下部については１階用フレーム２００Ａの下部と同様の構造で実施可能なため、説明を省略する。アングル材２０８には、下部連結部材２０５Ａとボルト接合するために孔２０８ａが設けられている。アングル材２０９には、下部連結部材２０５Ａに設けられた孔２０５ａに挿入されるフック２０９ａと孔２０９ｂが設けられている。ここで、アングル材２０８は、予め柱材２０３Ａの下方で柱材２０３Ａに接合される。そして、アングル材２０８は、アングル材２０８の孔２０８ａが設けられた凸部が下部連結部材２０５Ａの下部で重なるような横幅を有する。そして、柱材２０３Ａは、下部連結部材２０５Ａの孔２０５ｂとアングル材２０８の孔２０８ａとにボルト３３ｃが挿入され、下部連結部材２０５Ａとナット３３ｂによりボルト結合される。なお、図９に示すように、柱材２０３Ａは、２本の角柱が予め接合されて構成され、図６（ｂ）に示すように、柱材２０１Ａの外周に凹形状の外壁材７０ｃがボルト接合またはねじ止めされる。そして、柱材２０３Ａは２本の角柱が予め接合されて構成され、柱材２０３Ａに外壁材７０ａがボルト接合またはねじ止めされる。そして、図９に示すように、外壁材７０ａと外壁材７０ｃの間には外壁材７０ｂが設けられる。ここで、外壁材７０ｂは、アングル材２０９の下部の凸部により支えられる一方で、アングル材２０９の上部がフック７０ｅの内側に挿入されることにより固定される。なお、外壁材７０ｂに予めナット３３ｂを埋め込んでおき、孔２０９ｂにボルト３３ｃを挿入し外壁材とボルト接合するように構成してもよい。
【００３４】
図１０において、１階用フレーム２００Ａの上部について説明する。２階用フレーム２００Ｂの上部については１階用フレーム２００Ａの下部と同様の構造で実施可能なため、説明を省略する。アングル材２１１、２１２は、外壁材７０ｂとボルト接合するために、上部連結部材２０７Ａの上面に接合されている。柱材２０３Ａに設けられたアングル材２０８には、上部連結部材２０７Ａとボルト接合するために孔２０８ａが設けられている。ここで、アングル材２０８は、予め柱材２０３Ａの上方で柱材２０３Ａに接合される。そして、アングル材２０８は、アングル材２０８の孔２０８ａが設けられた凸部が上部連結部材２０７Ａの下部で重なるような横幅を有する。そして、柱材２０３Ａは上部連結部材２０７Ａの孔２０７ｂとアングル材２０８の孔２０８ａとにボルト３３ｃが挿入され、上部連結部材２０７Ａとナット３３ｂによりボルト結合されている。図６（ｂ）に示すように、柱材２０１Ａの外周に凹形状の外壁材７０ｃがボルト接合またはねじ止めされる。そして、柱材２０３Ａは２本の角柱が予め接合されて構成され、柱材２０３Ａに外壁材７０ａがボルト接合またはねじ止めされる。そして、図１０に示すように、外壁材７０ａと外壁材７０ｃの間には外壁材７０ｂが設けられる。外壁材７０ｂはアングル材２１２の孔２１２ａを介して上部連結部材２０７Ａとボルト結合される。なお、外壁材７０ｂに予めナット３３ｂを埋め込んでおき、孔２１２ａにボルト３３ｃを挿入し外壁材とボルト接合するように構成してもよい。
【００３５】
（外部柱を有する住宅の製造方法）
次に、外部柱を有する住宅の製造方法について、ユニット式建物の施工方法を例に説明する。なお、各居室等のためのユニット式建物の施工方法については、本出願人の出願（特開２００９−３５９９１号公報）等に開示されているように公知であるため、説明を省略する。
【００３６】
はじめに、各住宅ユニットと１階用外部柱２１０Ａを固定するための基礎３００を作成する。基礎３００には、各住宅ユニットと１階用外部柱２１０Ａを固定するためのアンカーボルト３１０等が埋め込まれている。
【００３７】
そして、クレーンを用いて、１階の住宅ユニットを基礎３００上に配置して、各住宅ユニット間と、各住宅ユニット間と基礎３００とをボルト結合する。そして、クレーンで１階用外部柱２１０Ａを吊り上げ、２本の柱材２０１Ａ、２０３Ａの下部にそれぞれ設けられたエンドプレート２０１ａの孔２０１ｃにアンカーボルト３１０を挿入し、基礎３００にボルト結合する。そして、図１３に示すように、図１２に示す冶具２２０を用いて、柱材２０３Ａと壁面に冶具２２０の孔２２０ａを介してねじ止めし、１階用外部柱２１０Ａと住宅の壁面を接合する。次に、外壁材７０ｄを取り付けるために、下部連結部材２０５Ａの孔２０５ａに、アングル材２０９を下部連結部材２０５Ａに挿入する。その後、外壁材７０ｄをクレーンで吊り上げ、アングル材２０９の下部の凸部により外壁材７０ｄを支える一方で外壁材７０ｄのフックにアングル材２０９の上部が挿入されるように、外壁材７０ｄを上から静かに下して、外壁材７０ｄの下部を固定する。次に、外壁材７０ｄの上部を上部連結部材２０７Ａのアングル材２１１の孔２１１ａを介してボルト結合する。
【００３８】
次に、バルコニー床２３０をクレーンで吊り上げ、バルコニー床２３０の下部を、２本の柱材２０１Ａ、２０３Ａの上部のエンドプレート２０１ａと１階住宅ユニットとの上梁にのせて、それぞれボルト結合する。
【００３９】
次に、クレーンを用いて、２階の住宅ユニットを１階住宅ユニット上に配置して住宅ユニット間をボルト結合する。その後、クレーンで２階用外部柱２１０Ｂを吊り上げ、２本の柱材２０１Ｂ、２０３Ｂをバルコニー床２３０にそれぞれエンドプレート２０１ａを介してボルト結合する。そして、１階用外部柱と同じく、図１２に示す冶具２２０を用いて、柱材２０３Ｂと壁面に冶具２２０の孔２２０ａを介してねじ止めし、２階用外部柱２１０Ｂと住宅の壁面を接合する。次に、下部連結部材２０５Ｂの孔に、アングル材２０９を挿入する。その後、外壁材７１ｄをクレーンで吊り上げ、アングル材２０９の下部の凸部により外壁材７１ｄを支える一方で外壁材７１ｄのフックにアングル材２０９の上部が挿入されるように、外壁材７１ｄを上から静かに下して、外壁材７１ｄの下部を固定する。次に、外壁材７１ｄの上部を上部連結部材２０７Ｂのアングル材２１１の孔２１１ａを介してボルト結合する。
【００４０】
次に、バルコニー床２３０上に天井パネルをクレーンで吊り上げ、天井パネルの下部を、２階用外部柱の２本の柱材２０１Ｂ、２０３Ｂの上部のエンドプレート２０１ａと２階住宅ユニットとの上梁とをボルト結合する。その後、屋根束などを用いて、屋根を設ける。ユニット式住宅の屋根構造については、本出願人の出願（特開２００３−２７２７号公報）等に開示されているように公知であるため、説明を省略する。
【符号の説明】
【００４１】
１０   柱
３０   下冶具
３１   下アーム材
３３   下部支持部材
３３ｂ ナット
３３ｃ ボルト
４０   補助冶具
５０   上冶具
５１   上アーム材
５３   上部支持部材
７０ａ-７０ｄ 外壁材
７１ａ-７１ｄ 外壁材
１００ 支持装置
２００Ａ      １階用フレーム
２００Ｂ      ２階用フレーム
２０１Ａ，２０３Ａ   柱材
２０１Ｂ，２０３Ｂ   柱材
２０１Ｃ      柱材
２０１ａ      エンドプレート
２０５Ａ      下部連結部材
２０５Ｂ      下部連結部材
２０７Ａ      上部連結部材
２０７Ｂ      上部連結部材
２１０Ａ      １階用外部柱
２１０Ｂ      ２階用外部柱
２２０ 冶具
２３０ バルコニー床
３００ 基礎
３１０ アンカーボルト
【図１】
0005551095.tif 000002
【図２】
0005551095.tif 000003
【図３】
0005551095.tif 000004
【図４】
0005551095.tif 000005
【図５】
0005551095.tif 000006
【図６】
0005551095.tif 000007
【図７】
0005551095.tif 000008
【図８】
0005551095.tif 000009
【図９】
0005551095.tif 000010
【図１０】
0005551095.tif 000011
【図１１】
0005551095.tif 000012
【図１２】
0005551095.tif 000013
【図１３】
0005551095.tif 000014
【図１４】
0005551095.tif 000015